(57)【要約】【課題】本発明は、ラチェットレンチに関するものであって、規格の異なるボルトやナットを他の部品を用いず無段階で捉え、正逆の選択、連続回転による締緩作業が可能なラチェットレンチを提供する。【解決手段】本発明は、単体の円筒型とし、ソケットは規格の異なるボルトやナットに対応するアジャスト機構とされ、軸受台と開閉アームを可動接合し、開閉調節範囲を支持するガイド板と対象物を捉える分割ソケットで構成され、それらをケースと開閉調節する回転リングで覆い、ラチェット機構を含む折りたたみレバーを設けている。【選択図】図１
2017001173.tif 000002
【特許請求の範囲】
【請求項１】
単体の円筒型で、ソケットは規格の異なるボルトやナットに対応するアジャスト機構とされ、軸受台と開閉アームを可動接合し、開閉調節範囲を支持するガイド板と対象物を捉える分割ソケットで構成され、それらをケースと開閉調節する回転リングで覆い、ラチェット機構を含む折りたたみレバーを設けるラチェットレンチ。
【請求項２】
軸受台の中心より１２０度間隔で梃子原理の支点となる軸受溝を設け、平面カットされた各アーム先端を可動接合し、分割ソケット先端が最大開時、微角度で内側に傾くよう土台となる角型テーパーを設け、各アームにねじれを防止する誘導鋼を備えたことを特徴とするラチェットレンチ。
【請求項３】
ケースの左先端に１２０度間隔で設ける開口は、アームがはみ出る寸法の割合に応じて分割ソケットの無段階幅を決定する長さとし、開脚用の開きバネを各アーム間に備えた開閉アームを軸受台と共に内蔵し、アームがスライドするスター型誘導孔、回転負荷軽減の回止鋼を含むガイド板を備えたことを特徴とするラチェットレンチ。
【請求項４】
開閉アームの左先端に、梃子原理の作用点となる円錐形を三等分した分割ソケットを設け、先端形状が各１２０度の角度を有し、小から大の一定範囲をカバーするソケット幅を保ち、横面カット角度が分割ソケット先端最小時を基本点として反対側が調整リング内に収まる範囲とし、角型テーパーと分割ソケットが一体化したことを特徴とするラチェットレンチ。
【請求項５】
ケース外部に回転リング内の回転螺子を誘導する固定螺子を三等開口からラチェットリング近くまで設け、右側に切替えバーと噛み合うラチェットギアと手回し機能を主とした滑り止めを施したドライブを備えることを特徴とするラチェットレンチ。
【請求項６】
内部に回転螺子を備えた回転リングの左側先端に、梃子原理の力点となる調整リングを設け、分割ソケットを最小に設定した時に先端から六割程度の位置で停止する内径を有するリング径とし、回転リング内とテーパー状で接続され、外周に滑り止めを施したことを特徴とするラチェットレンチ。
【請求項７】
ラチェットギアと切替えバーが噛み合い、切替えバーの上部に設けたスライドバネをラチェットリングの左右に備える切替え釦で正逆の選択を可能とし、連続して回転させることを特徴とするラチェットレンチ。
【請求項８】
可動軸を基点としたレバーは、収納位置から締緩作業位置で停止するロック機構とするボルトプランジャを設け、分割ソケットの各サイズ規格の段階を考慮した寸法を保ち、携帯や移動時は折りたたむ形態とし、外周に滑り止めを施したことを特徴とするラチェットレンチ。
【発明の詳細な説明】
【技術分野】
【０００１】  本発明は、ラチェットレンチに関するものであって、規格の異なるボルトやナットを他の部品を用いず無段階で捉え、正逆の選択、連続回転による締緩作業が可能なラチェットレンチに関するものである。
【背景技術】
【０００２】  現在使用されるラチェットレンチは、様々な作業内容に適した形態を選定し、ボルトやナットの締緩作業をされている。【０００３】  従来のラチェットレンチは、本体上部に規格の異なるソケットが、前後に備えている単体型やソケットが多種備えたボックスセット型等様々な形態があり、作業内容によって使い分けされている。【０００４】  図２の単体型とボックスセット型に分かれた形態は、更にそれぞれ多様な種類になったものに分類され、形が変化し各産業分野で使用されている。【０００５】  図２の単体型は、機能面や手軽さで現在も改良され、中でもソケット規格が４種類に進化したものは、便利な反面作業内容により、ヘッドが周囲に接触してソケット部が対象物まで届かない問題点があった。レバー下部にソケットを備えている型も類似した問題があり、またレバーが廻しずらい難点もあった。ボックスセット型は各作業内容への対応は郡を抜いている。しかしボックスセット自体重く、通常持ち歩くことへの煩わしさや、ラチェット本体と別の付属品とのセッティング等に手間がかかりすぎた。どのような形態を選定するかは、工具を身につけて作業する人と、台車等に多数の工具を乗せて運搬する人との作業形態にも関わる問題でもあった。
【先行技術文献】
【特許文献】
【０００６】
【特許文献１】特開平８−２５２７７４号公報
【特許文献２】特開平２１−２５５２６９号公報
【非特許文献】
【０００７】
【非特許文献１】  インターネット  ウェビックショッピング  ２０１５  ４  プロツールス  ソケットレスレンチ  ＴＯＯＬ３８３
【発明の概要】
【発明が解決しようとする課題】
【０００８】  解決しようとする問題点として、単体型ラチェットレンチは広範囲な作業性にやや乏しく、限られた場面での使用が多くなっている。またボックスセット型は重量面やセッティング等からの解放である。
【課題を解決するための手段】
【０００９】  上記の目的を達成するために本発明は、単体の円筒型とし、ソケットは規格の異なるボルトやナットに対応できるアジャスト機構とされ、軸受台と開閉アームを可動接合し、開閉調節範囲を支持するガイド板と対象物を捉える分割ソケットで構成され、それらをケースと開閉調節する回転リングで覆い、ラチェット機構を含む折りたたみレバーを設けることを最も主要な特徴とする。
【発明の効果】
【００１０】  以上の説明から明らかなように、本発明にあっては次に列挙する効果が得られる。軸受台と開閉アームが可動接合されることで、先端が図４に示すような最小六角状態から最大六角状態に調節ができる。したがって開閉差が無段階のボルトナットに設定できるようになった。図３に示す分割ソケットは、先端角度を各１２０度に保ちながら無段階で規格の違うボルトナットに適応できるようになった。分割ソケットのボルトナットを捉える締付け強度は、ケース外周にある固定螺子と回転リングの回転螺子が共に螺子構造となり、調整リングが力点となって分割ソケットに反映されるようになった。
【図面の簡単な説明】
【００１１】
【図１】本発明の一実施例による斜視図である。
【図２】従来の形態を示す斜視図である。
【図３】本発明の一実施例による分解図である。
【図４】本発明の一実施例による動作概念図である。
【発明を実施するための形態】
【００１２】  以下、本発明の実施の形態を図に基づいて説明する。図１は本発明の一実施形態による斜視図であり、図２は従来の代表的な形態である単体型と、ボックスセット型のラチェットレンチを示した斜視図である。そして図３は本発明の一実施例による分解図であり、図４は本発明の一実施例による動作概念図である。
【実施例１】
【００１３】  本発明の一実施例によるラチェットレンチは、図３に示した開閉アーム１０を基本として軸受台１１と可動接合され、軸受台１１側からケース２１を抱合し、逆方向よりガイド板２０と分割ソケット１３を設け、更に回転リング３０とラチェットリング４０、レバー５０を含める。【００１４】  開閉アーム１０の先端に角型テーパー１２が１２０度で形成され、それらと組み合う分割ソケットも同角度を施している。回転リング３０に備えた回転螺子３１は、ケース２１の固定螺子２２と螺子構造となり、調整リング３２によって分割ソケットを開閉している。調整リング３２は最小対象物を捉える時、周囲に干渉しないように右回転により手前に移動し、最大対象物を捉える時は分割ソケット１３を補強するため包みこむ形態となる利点がある。【００１５】  対象物を捉える分割ソケット１３は、手回しによる回転リング３０の操作で、開閉アーム１０とケース２１が一体となることから締付けトルクが安定する利点を持っている。本体が短い形状や長い形状、細い太いといった形状も角型テーパー１２の角度や、分割ソケット１３の長さや材質、形状で小型や大型とする長所でもある。【００１６】  図３による軸受台１１は、開閉アーム１０と可動接合するために、肉厚のある円盤状で強度を保持し、更に鋼管状で延長している。中心から１２０度間隔で軸受溝１５を備え、その切込み幅はアーム体直径の六割前後が望ましい。またそれに噛み合うように平面カットされたアーム体をはめ込み、貫通支持するための孔を真横に設け、片側をタップ加工が施してある。後にケース２１と接合のため軸受台１１は、タップ、回り止めが施してある。【００１７】  軸受台１１に支持された開閉アーム１０は、図３に示す開きバネ１４により互いに支持しあい、回転リング３０を緩めた時点で開くように、各アーム間に設けられている。また回転リング３０の調整リング３２は、分割ソケット１３をムラなく押しこむトルクを増幅させる為に設けている。それは開閉アーム１０が軸受台１１から分割ソケット１３の末端までの寸法を考慮すると、梃子原理の力点にあたり、３６０度を三分割した作用になり、対象物を均等に締結する重要な箇所である。【００１８】  図３に示めした開閉アーム１０を両端からケース２１とガイド板２０で抱合し、左先端箇所に各分割ソケット１３が取付けられる。各ソケットはねじれ防止を考慮し、アームと一体化する形態や、成型状にしてアーム先端と噛み合わせ、ボルト締めも可能としている。また各先端は１２０度を確保し、一辺の幅は最小にして捉えたナットがＭ１０だった場合、最大はＭ１７程度の範囲が望ましく、規格の幅次第で各クラスは色々と考えられる。【００１９】  またガイド板２０をスライドする開閉アーム１０の接触部は、スムーズな動きやねじれ防止を考慮し一部平面型にした誘導鋼１６を設けている。ガイド板２０には回動時の負荷軽減策として、回止鋼２４をバランスよく円周内に設け、ケース２１先端と噛み合わせボルト締めとしている。【００２０】  回転リング３０は、開閉アーム１０を介して分割ソケット１３を開閉操作する為に回転螺子３１を備えている。それは開スタート位置から閉ストップ位置まで三回転程度で、固定螺子２２に従��、右回転移動するしくみで完了し、閉から開は逆の左回転で移動する。また回転リング３０の外周には作業性を考慮して凹凸状の滑り止め材で覆うのが望ましい。回転リング３０がケース２１の外周に収まった後、ラチェットリング４０が右方から設けられ、可動軸５２で一体化したレバー５０は、ボルトプランジャ５１により折りたたみ収納、締緩作業等の使用目的により各所で停止するロック機構とし、滑り止め材のカバーで覆われている。【００２１】  図３に示すラチェットリング４０は、正転逆転を可能とさせるため、外部に切替え釦４１を上下にスライド可能な状態で左右に備えている。その内部では、ラチェットギア２３と切替えバー４２左右突端の片側が選択され、交互に噛み合う構造としており、切替え釦４１の操作により、スライドバネ４３が切替えバー４２の上部で左右に移動し、正逆が成立されるしくみである。またケース２１の右側末端には、回動時にトルクがない場合に備え分割ソケット１３を軽く手回しできるドライブ２５を設けている。
【実施例２】
【００２２】  本発明の一実施例によるラチェットレンチを図１に基づき、対象物の締緩作業を例に説明する。【００２３】  ボルトやナットを端子台等に締付ける場合、レバー５０を収納位置から締緩作業位置まで引き起こし、予めボルトのサイズ程度まで回転リング３０を左回転させて緩め、分割ソケット１３を多少広めに開いた状態にする。確認後、分割ソケット１３をボルトに嵌め、回転リング３０を右回転させながら締めていき、レバー５０をボルト角度に合うように若干左右に回しながら更に締めていき準備完了となる。【００２４】  基本的な流れをみると、回転リング３０と切替え釦４１は反対象の因果関係にあり、回転リング３０を左回転で緩める時、切替え釦４１は時計方向である正転にする必要がある。いわゆる回転リング３０を右回転で締める時は、反時計方向である逆転に切り替えることが基本となる。【００２５】  分割ソケット１３がボルトを捉えた後、切替え釦４１で正回転を選択する。この時ボルトの長さによりトルクを必要としない間があり、これまではラチェットの往復を繰り返していたが、このような場合ドライブ２５を一般ドライバーのように軽く手回しで作業を進め、トルクを感じた時点でレバー５０を適度な角度から正転方向へ本締めすることができる。【００２６】  一連の締付け作業の中で周囲の機器類、端子台の仕切り幅など様々な作業環境が進行の妨げになる場合もあるが、円筒型の形状により奥まった箇所でも先端が届きやすく、分割ソケット１３の外形幅が可動伸縮することで、周囲への接触など干渉面でも軽減できる。【００２７】  締付け作業手順からみられるように、回転リング３０と切替え釦４１の関係を考慮すると取外し作業も相反する動作になりえる。それは切替え釦４１を操作し、回転リング３０を回して分割ソケット１３を開く段取りに入るが、前述にも触れたドライブ２５の存在である。作業場面にもよるが、ドライブ２５を保持した時の回転リング３０は、分割ソケット１３を開、閉方向を選ばず回せる点である。それにより取外し作業もこのような使用法も踏まえボルトを捉え、逆転することで作業とてしは完了となりえる。
【産業上の利用可能性】
【００２８】  本発明は、完成工数の短縮される建設現場や車両等が近距離に駐停車しかねる厳しい作業所、また出入りに制限のある環境等の為に利便性、コスト削減を追求している。
【符号の説明】
【００２９】  １０    開閉アーム
１１    軸受台
１２    角型テーパー
１３    分割ソケット
１４    開きバネ
１５    軸受溝
１６    誘導鋼
２０    ガイド板
２１    ケース
２２    固定螺子
２３    ラチェットギア
２４    回止鋼
２５    ドライブ
３０    回転リング
３１    回転螺子
３２    調整リング
４０    ラチェットリング
４１    切替え釦
４２    切替えバー
４３    スライドバネ
５０    レバー
５１    ボルトプランジャ
５２    可動軸
【図１】
2017001173.tif 000003
【図２】
2017001173.tif 000004
【図３】
2017001173.tif 000005
【図４】
2017001173.tif 000006